(57)【要約】【課題】プライバシーを保護しつつ保証するセキュリティのレベルを向上させる。【解決手段】ホームセイフティ機器２０は、ネットワークミドル１１０と、カメラ１３０と、キャプチャ部１３２と、通信制御部１１２などと、スピーカ１４６と、スピーカ管理部１４４とを含む。ネットワークミドル１１０は通信する。カメラ１３０は撮影する。キャプチャ部１３２は、ネットワークミドル１１０が指令を受信すると、カメラ１３０が撮影した映像から静止画の画像を表わす情報を生成する。通信制御部１１２などは、キャプチャ部１３２が生成した情報を送信するように、ネットワークミドル１１０を制御する。スピーカ１４６は音楽として情報を出力する。スピーカ管理部１４４は、ネットワークミドル１１０が指令を受信すると、スピーカ１４６が音楽を出力するように、スピーカ１４６を制御する。【選択図】図３
2007115114.tif 000002
【特許請求の範囲】
【請求項１】
通信するための通信手段と、
撮影するための撮影手段と、
前記通信手段が指示を受信すると、前記撮影手段が撮影した映像から静止画を表わす情報を生成するための生成手段と、
前記生成手段が生成した情報を送信するように、前記通信手段を制御するための第１の制御手段と、
音楽として情報を出力するための出力手段と、
前記通信手段が指示を受信すると、前記出力手段が音楽を出力するように、前記出力手段を制御するための第２の制御手段とを含む、ホームセイフティ機器。
【請求項２】
通信するための通信手段と、
撮影するための撮影手段と、
前記通信手段が指示を受信すると、前記撮影手段が撮影した映像から静止画を表わす情報を生成するための生成手段と、
前記生成手段が生成した情報を送信するように、前記通信手段を制御するための第１の制御手段と、
情報を出力するための出力手段と、
前記通信手段が指示を受信すると、前記出力手段が情報を出力するように、前記出力手段を制御するための第２の制御手段とを含む、ホームセイフティ機器。
【請求項３】
前記出力手段は、音により前記情報を出力するための手段を含む、請求項２に記載のホームセイフティ機器。
【請求項４】
前記音により情報を出力するための手段は、音楽として情報を出力するための手段を含む、請求項３に記載のホームセイフティ機器。
【請求項５】
前記出力手段は、光を媒体として前記情報を出力するための手段を含む、請求項２に記載のホームセイフティ機器。
【請求項６】
前記光を媒体として情報を出力するための手段は、前記情報を表示するための手段を含む、請求項５に記載のホームセイフティ機器。
【請求項７】
前記光を媒体として情報を出力するための手段は、光の点灯により前記情報を出力するための手段を含む、請求項５に記載のホームセイフティ機器。
【請求項８】
前記第２の制御手段は、
前記通信手段が指示を受信したことを検出するための検出手段と、
前記通信手段が指示を受信したことを前記検出手段が検出すると、前記出力手段が情報を出力するように、前記出力手段を制御するための手段とを含む、請求項２に記載のホームセイフティ機器。
【請求項９】
前記第２の制御手段は、情報を出力するか否かを表わす情報を受付けるための受付手段をさらに含み、
前記出力手段を制御するための手段は、情報を出力することを表わす情報を前記受付手段が受付けた上で、前記通信手段が指示を受信したことを前記検出手段が検出すると、前記出力手段が情報を出力するように、前記出力手段を制御するための手段を含む、請求項８に記載のホームセイフティ機器。
【請求項１０】
前記ホームセイフティ機器は、
時刻を特定するための特定手段と、
前記通信手段が指示を受信すると、前記特定手段が特定した時刻を表わす時刻情報を生成するための手段と、
前記時刻情報を送信するように、前記通信手段を制御するための手段とをさらに含む、請求項２に記載のホームセイフティ機器。
【請求項１１】
通信する通信ステップと、
撮影する撮影ステップと、
前記通信ステップにおいて指示を受信すると、前記撮影ステップにおいて撮影した映像から静止画を表わす情報を生成する生成ステップと、
前記生成ステップにおいて生成した情報を送信するように、前記通信ステップを制御する第１の制御ステップと、
情報を出力する出力ステップと、
前記通信ステップにおいて指示を受信すると、前記出力ステップにおいて情報を出力するように、前記出力ステップを制御する第２の制御ステップとを含む各ステップをコンピュータに実行させるためのホームセイフティプログラム。
【請求項１２】
通信する通信ステップと、
撮影する撮影ステップと、
前記通信ステップにおいて指示を受信すると、前記撮影ステップにおいて撮影した映像から静止画を表わす情報を生成する生成ステップと、
前記生成ステップにおいて生成した情報を送信するように、前記通信ステップを制御する第１の制御ステップと、
情報を出力する出力ステップと、
前記通信ステップにおいて指示を受信すると、前記出力ステップにおいて情報を出力するように、前記出力ステップを制御する第２の制御ステップとを含む各ステップをコンピュータに実行させるためのホームセイフティプログラムを記録したコンピュータ読取り可能な記録媒体。
【発明の詳細な説明】
【技術分野】
【０００１】
本発明は、ホームセイフティ機器、ホームセイフティプログラム、およびホームセイフティプログラムを記録したコンピュータ読取り可能な記録媒体に関し、特に、警報状態の所在を中央局に通報するホームセイフティ機器、ホームセイフティプログラム、およびホームセイフティプログラムを記録したコンピュータ読取り可能な記録媒体に関する。
【背景技術】
【０００２】
特許文献１は、被監視場所を撮影する監視カメラと、通報操作すると被監視場所における異常事態の発生を知らせる通報信号を端末装置へ出力する通報操作部と、被監視場所に設置され、監視カメラと通報操作部に接続された端末装置と、監視センタに設置され、端末装置に接続された監視装置を備え、端末装置が、監視カメラが撮影する画像を取り込んで記憶する画像メモリと、正常状態か異常状態のいずれかの状態に設定され、通報操作部が通報信号を出力すると異常状態に設定され、異常状態に設定されている時に復旧動作が加わると異常状態から正常状態に設定状態が切り換わる状態記憶部と、少なくとも画像メモリに記憶された画像を監視装置へ送信する端末側通信装置と、画像メモリ、状態記憶部、端末側通信装置を制御する端末制御部とを含んでなり、端末制御部は、状態記憶部が異常状態に設定されている間は監視カメラが撮影している画像を画像メモリに継続して取り込ませるとともに、画像メモリが取り込んだ画像を監視装置へ送信させる画像監視システムを開示する。
【０００３】
特許文献１に開示された発明によると、宿泊施設内や住居あるいは通常時には撮影された画像を第３者に見られたくない場所において適用する場合でも、プライバシーの保護が図れるとともに、高レベルのセキュリティが保障され、しかも信頼性の高い画像監視システムを提供できる。
【０００４】
特許文献２は、所定場所に所定機能に応じて所定数設置されるセンサと、所定場所に設定されて周辺の状態を画像および音声の少なくとも何れかにより監視するカメラおよびマイクの少なくとも何れかと、センサの検知状態ならびにカメラおよびマイクの少なくとも何れかの監視状態の情報を管理するコントローラと、コントローラと通信回線により接続され、コントローラを制御し、カメラおよびマイクの少なくとも何れかと通話を行う端末機、および検知状態、監視状態の所定情報をコントローラより送信させて確認するためのプログラムを格納するＲＯＭ（Read Only Memory）カートリッジを備える端末機とを有する監視システムを開示する。
【０００５】
特許文献２に開示された発明によると、利用者の不在時にもセンサの検知状態などの認識や確認を行うことができる。
【０００６】
特許文献３は、所定の設備のローカルネットワークに接続されるローカル端末と、外部ネットワークに接続されるリモート端末と、ローカルネットワークと外部ネットワークとの間に介設される制御装置とにより構成される通信システムを開示する。ローカル端末は、所定の機能を達成する装置と、ローカルネットワークからの要求に応じて、所定の機能による状態を応答として、ローカルネットワークを介してこのプロトコルに従って返信する返信装置とを有し、リモート端末は、所定の操作を入力するための操作入力装置と、外部ネットワークを介してこのプロトコルに従って操作入力装置で入力された操作に対応する要求を送信するとともに、この要求に対する応答を外部ネットワークからこのプロトコルに従って受信する送受信装置と、この送受信装置で受信された応答から得られる情報を出力する情報出力装置とを有し、制御装置は、リモート端末から外部ネットワークを介してこのプロトコルに従って送信されてくる要求を受信し、この要求を、ローカルネットワークを介してこのプロトコルに従ってローカル端末に送信するとともに、ローカル端末からローカルネットワークを介してこのプロトコルに従って返信されてくる要求に対する応答を受信し、この応答を、外部ネットワークを介してこのプロトコルに従ってリモート端末に送信するゲートウェイ装置を有する通信システムを開示する。
【０００７】
特許文献３に開示された発明によると、制御装置の小型化およびコスト削減が可能で、ローカル端末の状態をリアルタイムでリモート端末に取り込むことができ、しかも、リモート端末側で、応答から得られる情報を知ることが可能となる。
【特許文献１】特開平１１−３４１４７８号公報
【特許文献２】特開平８−９６２８１号公報
【特許文献３】特開２００２−２７５７３号公報
【発明の開示】
【発明が解決しようとする課題】
【０００８】
しかし、特許文献１に開示された発明では、保証できるセキュリティのレベルに限度があるという問題点がある。端末装置が正常状態に設定されているとき画像が取り込まれないことが、急遽生じた異常に対するセキュリティのレベルを低下させるためである。
【０００９】
特許文献２および特許文献３に開示された発明では、そもそもプライバシーの保護やセキュリティのレベルの向上を解決課題としていないという問題点がある。
【００１０】
本発明は上述の問題点を解決するためになされたものであって、その目的は、プライバシーを保護しつつ保証するセキュリティのレベルを向上できるホームセイフティ機器、ホームセイフティプログラム、およびホームセイフティプログラムを記録したコンピュータ読取り可能な記録媒体を提供することにある。
【課題を解決するための手段】
【００１１】
上記目的を達成するために、本発明のある局面に従うと、ホームセイフティ機器は、通信手段と、撮影手段と、生成手段と、第１の制御手段と、出力手段と、第２の制御手段とを含む。通信手段は通信する。撮影手段は撮影する。生成手段は、通信手段が指示を受信すると、撮影手段が撮影した映像から静止画を表わす情報を生成する。第１の制御手段は、生成手段が生成した情報を送信するように、通信手段を制御する。出力手段は音楽として情報を出力する。第２の制御手段は、通信手段が指示を受信すると、出力手段が音楽を出力するように、出力手段を制御する。
【００１２】
本発明の他の局面に従うと、ホームセイフティ機器は、通信手段と、撮影手段と、生成手段と、第１の制御手段と、出力手段と、第２の制御手段とを含む。通信手段は通信する。撮影手段は撮影する。生成手段は、通信手段が指示を受信すると、撮影手段が撮影した映像から静止画を表わす情報を生成する。第１の制御手段は、生成手段が生成した情報を送信するように、通信手段を制御する。出力手段は情報を出力する。第２の制御手段は、通信手段が指示を受信すると、出力手段が情報を出力するように、出力手段を制御する。
【００１３】
また、上述の出力手段は、音により情報を出力するための手段を含むことが望ましい。
もしくは、上述の音により情報を出力するための手段は、音楽として情報を出力するための手段を含むことが望ましい。
【００１４】
また、上述の出力手段は、光を媒体として情報を出力するための手段を含むことが望ましい。
【００１５】
もしくは、上述の光を媒体として情報を出力するための手段は、情報を表示するための手段を含むことが望ましい。
【００１６】
もしくは、上述の光を媒体として情報を出力するための手段は、光の点灯により情報を出力するための手段を含むことが望ましい。
【００１７】
また、上述の第２の制御手段は、通信手段が指示を受信したことを検出するための検出手段と、通信手段が指示を受信したことを検出手段が検出すると、出力手段が情報を出力するように、出力手段を制御するための手段とを含むことが望ましい。
【００１８】
もしくは、上述の第２の制御手段は、情報を出力するか否かを表わす情報を受付けるための受付手段をさらに含むことが望ましい。併せて、出力手段を制御するための手段は、情報を出力することを表わす情報を受付手段が受付けた上で、通信手段が指示を受信したことを検出手段が検出すると、出力手段が情報を出力するように、出力手段を制御するための手段を含むことが望ましい。
【００１９】
また、上述のホームセイフティ機器は、時刻を特定するための特定手段と、通信手段が指示を受信すると、特定手段が特定した時刻を表わす時刻情報を生成するための手段と、時刻情報を送信するように、通信手段を制御するための手段とをさらに含むことが望ましい。
【００２０】
本発明の他の局面に従うと、ホームセイフティプログラムは、通信ステップと、撮影ステップと、生成ステップと、第１の制御ステップと、出力ステップと、第２の制御ステップとを含む各ステップをコンピュータに実行させる。通信ステップは通信する。撮影ステップは撮影する。生成ステップは、通信ステップにおいて指示を受信すると、撮影ステップにおいて撮影した映像から静止画を表わす情報を生成する。第１の制御ステップは、生成ステップにおいて生成した情報を送信するように、通信ステップを制御する。出力ステップは情報を出力する。第２の制御ステップは、通信ステップにおいて指示を受信すると、出力ステップにおいて情報を出力するように、出力ステップを制御する。
【００２１】
本発明の他の局面に従うと、記録媒体は、ホームセイフティプログラムを記録したコンピュータ読取可能な記録媒体である。ホームセイフティプログラムは、通信ステップと、撮影ステップと、生成ステップと、第１の制御ステップと、出力ステップと、第２の制御ステップとを含む各ステップをコンピュータに実行させる。通信ステップは通信する。撮影ステップは撮影する。生成ステップは、通信ステップにおいて指示を受信すると、撮影ステップにおいて撮影した映像から静止画を表わす情報を生成する。第１の制御ステップは、生成ステップにおいて生成した情報を送信するように、通信ステップを制御する。出力ステップは情報を出力する。第２の制御ステップは、通信ステップにおいて指示を受信すると、出力ステップにおいて情報を出力するように、出力ステップを制御する。
【発明の効果】
【００２２】
本発明に係るホームセイフティ機器、ホームセイフティプログラム、およびホームセイフティプログラムを記録したコンピュータ読取り可能な記録媒体は、プライバシーを保護しつつ保証するセキュリティのレベルを向上できる。
【発明を実施するための最良の形態】
【００２３】
以下、図面を参照しつつ、本発明の実施の形態について説明する。以下の説明では、同一の部品には同一の符号を付してある。それらの名称および機能も同一である。したがって、それらについての詳細な説明は繰返さない。
【００２４】
図１を参照して、本実施の形態に係る防犯システム１０は、ホームセイフティ機器２０と、サーバ３０と、携帯電話４０とを含む。ホームセイフティ機器２０とサーバ３０との間の通信は、暗号化されている。ホームセイフティ機器２０は、映像を撮影する機器である。ホームセイフティ機器２０は、サーバ３０からキャプチャをすべき旨の指示を受信すると、画像をキャプチャする。ホームセイフティ機器２０は、ユーザの自宅に設置されている。サーバ３０は、ホームセイフティ機器２０がキャプチャした画像を蓄積する装置である。サーバ３０は、警備会社に設置されている。サーバ３０は、ホームセイフティ機器２０を制御する装置でもある。携帯電話４０は、画像をキャプチャすべき旨の指示をユーザが入力すると、入力された指示を表わす信号をサーバ３０に送信する装置である。携帯電話４０は、ユーザが外出時に携帯する。
【００２５】
図２は、ホームセイフティ機器２０の外観図である。図３は、ホームセイフティ機器２０の制御ブロック図である。図２および図３を参照して、ホームセイフティ機器２０は、焦電センサ１００と、センサスイッチ１０２と、スイッチ管理部１０４と、センサ管理部１０６と、ネットワークミドル１１０と、通信制御部１１２と、接続部１１４と、実行部１１６と、ＲＴＣ（Real Time Clock）１２０と、取得部１２２と、ログ部１２４と、ログ転送部１２６と、カメラ１３０と、キャプチャ部１３２と、圧縮部１３４と、画像転送部１３６と、監視部１４０と、スピーカスイッチ１４２と、スピーカ管理部１４４と、スピーカ１４６と、ディスプレイ１６０と、ＬＥＤ１６２とを含む。
【００２６】
焦電センサ１００は人体が発する赤外線により人体の存在を検出するセンサである。センサスイッチ１０２は焦電センサ１００が出力する信号を利用するか否かを判断するために用いるスイッチである。スイッチ管理部１０４は、センサスイッチ１０２の状態を検出する装置である。スイッチ管理部１０４は、センサスイッチ１０２の状態を表わす情報を記憶する装置でもある。センサ管理部１０６は、焦電センサ１００が出力した信号を実行部１１６に出力する装置である。センサ管理部１０６は、スイッチ管理部１０４が記憶した情報に応じて焦電センサ１００が出力した信号を実行部１１６に出力したり出力しなかったりする。ネットワークミドル１１０は、イーサネット（登録商標）やモデムから受信した信号を、ホームセイフティ機器２０を構成する各装置などが利用できる信号に変換する装置である。ネットワークミドル１１０は、ホームセイフティ機器２０を構成する装置などが出力した信号をイーサネット（登録商標）やモデムが通信できる信号に変換する装置でもある。これらにより、ネットワークミドル１１０は、通信するための装置となる。本実施の形態の場合、ネットワークミドル１１０は、ホームセイフティ機器２０の背面に設けられている。通信制御部１１２は、各種の情報を送信したり、各種の指示を受信したりするようにネットワークミドル１１０を制御する装置である。接続部１１４は、情報を記憶する装置である。接続部１１４が記憶する情報はネットワークミドル１１０がイーサネット（登録商標）やモデムを介して外部の装置と通信を確立しているか否かを表わす情報である。接続部１１４は、ネットワークミドル１１０が接続を確立していない場合、イーサネット（登録商標）やモデムを介して外部の装置と通信を確立するようにネットワークミドル１１０を制御する装置でもある。実行部１１６は、ネットワークミドル１１０が受信した指示を記憶する装置である。実行部１１６が記憶する指示には、ブザーを鳴らす指示のほか、指定された時刻や指定された周期に従って撮影させる指示が含まれる。本実施の形態の場合、実行部１１６は、ネットワークミドル１１０が受信した各種の指示をフラグの値として記憶する。ＲＴＣ１２０は時刻を特定する装置である。取得部１２２はＲＴＣ１２０から時刻を表わす情報を取得する装置である。ログ部１２４は、時刻情報に基づき、ログを表わす情報を生成する装置である。ログ転送部１２６は、ログを表わす情報を送信するように通信制御部１１２を制御する装置である。カメラ１３０は映像を撮影する装置である。キャプチャ部１３２はカメラ１３０が撮影した映像から画像をキャプチャする装置である。「キャプチャ」とは静止画の情報を生成することである。圧縮部１３４はキャプチャ部１３２がキャプチャした画像のデータを圧縮する装置である。画像転送部１３６は圧縮部１３４が圧縮した静止画の情報を送信するように通信制御部１１２を制御する装置である。通信制御部１１２と接続部１１４とログ転送部１２６と画像転送部１３６とが、静止画の情報と時刻情報とを送信するようにネットワークミドル１１０を制御する装置を構成している。監視部１４０は、画像をキャプチャする指示をネットワークミドル１１０が受信したか否かを監視する装置である。監視部１４０は実行部１１６が記憶するフラグの値を所定の周期で読出すことによりそのことを監視する装置である。スピーカスイッチ１４２は、スイッチである。スピーカスイッチ１４２は、スイッチとしての動作により、情報を受付ける。スピーカスイッチ１４２が受付ける情報は、スピーカ１４６に音楽として情報を出力させるか否かを表わす情報である。スピーカ管理部１４４は監視部１４０の監視の結果とスピーカスイッチ１４２の状態とに応じて音を出力するようにスピーカ１４６を制御する装置である。スピーカ１４６はスピーカ管理部１４４の制御に応じて音を出力する装置である。本実施の形態の場合、スピーカ１４６は音楽を出力する。ディスプレイ１６０は実行部１１６の制御に応じて情報を出力する装置である。本実施の形態の場合、ディスプレイ１６０は７セグメントのＬＥＤにより情報を出力する。本実施の形態の場合、ディスプレイ１６０が出力する情報には、ソフトウェアのダウンロードに必要な情報や後述する情報が含まれる。ＬＥＤ１６２は実行部１１６が記憶するフラグの値に対応するように点灯する素子である。
【００２７】
図４を参照して、本実施の形態に係るホームセイフティ機器２０を実現するコンピュータハードウェアの制御ブロック図を示す。このコンピュータは、ＣＰＵ（Central Process Unit）２３１と、ＨＤ装置２３３と、表示部２３４と、ＲＡＭ（Random Access Memory）２３５と、通信部２３６と、ＣＤ−ＲＷ（Compact Disk Rewritable）ドライブ２３７と、操作部２３８とを含む。ＣＰＵ２３１は、当該コンピュータの全体的な動作を制御する。ＣＰＵ２３１は、入出力インターフェイス（Ｉ／Ｏ）２３２を介して、ＨＤ装置２３３、表示部２３４、ＲＡＭ２３５、通信部２３６、ＣＤ−ＲＷドライブ２３７、および操作部２３８と接続されている。ＨＤ装置２３３は、ハードディスクに、ファイルおよびＣＰＵ２３１の動作プログラムを含む種々の情報を記録する。表示部２３４は、液晶ディスプレイなどである。ＲＡＭ２３５は、ＣＰＵ２３１のワークエリアである。通信部２３６は、ネットワーク網を介して外部の装置へ情報を送信する装置である。通信部２３６はネットワーク網を介して外部の装置から情報を受信する装置でもある。ＣＤ−ＲＷドライブ２３７は、外部から挿入されるＣＤ−ＲＷ３００などの記録媒体に記録された情報を読取り、かつ、当該記録媒体の情報を書換える。ＣＤ−ＲＷドライブ２３７は、バス２３９を介して、入出力インターフェイス２３２と接続されている。操作部２３８は、ユーザが情報を入力するためのキーボードやマウスである。このとき、ホームセイフティ機器２０は、コンピュータハードウェアとＣＰＵ２３１により実行されるソフトウェアとにより実現される。一般的にこうしたソフトウェアは、ＣＤ−ＲＷ３００などの記録媒体に格納されて流通し、ＣＤ−ＲＷドライブ２３７などにより記録媒体から読込まれる。ＣＰＵ２３１はＣＤ−ＲＷドライブ２３７に読込まれたソフトウェアを実行する。図４に示したハードウェア自体は一般的なものである。したがって、この場合、発明の最も本質的な部分はＣＤ−ＲＷ３００などの記録媒体に記録されたソフトウェアである。
【００２８】
図５を参照して、ホームセイフティ機器２０で実行されるプログラムは、音声の出力に関し、以下のような制御を実行する。
【００２９】
ステップ３００（以下、ステップをＳと略す。）にて、ネットワークミドル１１０は指示を受信する。指示が受信されると、ネットワークミドル１１０は受信した指示を実行部１１６に出力する。通信制御部１１２および接続部１１４は指示を中継する。指示が出力されると、実行部１１６は指示の種類および指示の内容に対応するようにフラグの値を変更する。
【００３０】
Ｓ３０２にて、取得部１２２とキャプチャ部１３２と監視部１４０とは実行部１１６のフラグの値を参照する。フラグの値が参照されると、取得部１２２とキャプチャ部１３２と監視部１４０とは、フラグの値に基づき、ネットワークミドル１１０が画像のキャプチャを命じる指示を受信したか否かをそれぞれ判断する。画像のキャプチャを命じる指示を受信したと判断した場合には（Ｓ３０２にてＹＥＳ）、処理はＳ３０４へと移される。もしそうでないと（Ｓ３０２にてＮＯ）、処理はＳ３００へと移される。
【００３１】
Ｓ３０４にて、キャプチャ部１３２は、カメラ１３０が生成する映像の信号を用いて静止画を表わす情報を生成する。これによりカメラ１３０が撮影した映像をキャプチャしたこととなる。静止画を表わす情報が生成されると、キャプチャ部１３２は生成した情報を圧縮部１３４に出力する。圧縮部１３４はキャプチャ部１３２が出力した画像の情報を圧縮する。画像転送部１３６は圧縮部１３４が圧縮した画像の情報を送信するようにネットワークミドル１１０を制御する。取得部１２２はＲＴＣ１２０が測定した時刻に基づき、キャプチャ部１３２が画像をキャプチャした時刻を表わす情報を生成する。本実施の形態の場合、取得部１２２は実行部１１６のフラグによりキャプチャを命じる指示が受信されたことを検知した時点の時刻をキャプチャ部１３２が画像をキャプチャした時刻とみなす。時刻を表わす情報が生成されると、ログ部１２４は取得部１２２が生成した時刻を表わす情報に基づき画像をキャプチャしたことのログを表わす情報を生成する。ログ転送部１２６はログ部１２４が生成した情報を通信制御部１１２に出力する。通信制御部１１２はログ転送部１２６が出力した情報を送信するようにネットワークミドル１１０を制御する。
【００３２】
Ｓ３０６にて、監視部１４０は取得部１２２が生成した画像のキャプチャの時刻を表わす情報を読出す。情報が読出されると、監視部１４０は読出した情報をスピーカ管理部１４４に出力する。
【００３３】
Ｓ３０８にて、スピーカ管理部１４４は、画像をキャプチャした時刻を表わす情報を監視部１４０が出力し、かつスピーカスイッチ１４２が音声の出力を許可する状態であるとき、スピーカ１４６に対し音声のデータを出力する。スピーカ１４６はスピーカ管理部１４４が出力したデータに基づき音声を出力する。
【００３４】
Ｓ３１０にて、実行部１１６は、画像のキャプチャを終了するか否かを判断する。本実施の形態の場合、実行部１１６は図示しない電源スイッチの状態に基づいて画像のキャプチャを終了するか否かを判断する。画像のキャプチャを終了すると判断した場合には（Ｓ３１０にてＹＥＳ）、処理は終了する。もしそうでないと（Ｓ３１０にてＮＯ）、処理はＳ３００へと移される。
【００３５】
以上のような構造およびフローチャートに基づく、防犯システム１０の動作について説明する。
【００３６】
携帯電話４０から画像をキャプチャするよう指示が送信されたとする。サーバ３０は携帯電話４０が送信した指示をホームセイフティ機器２０に転送する。ホームセイフティ機器２０は指示を受信する（Ｓ３００）。
【００３７】
指示が受信されると、取得部１２２とキャプチャ部１３２と監視部１４０とはネットワークミドル１１０が受信した指示がキャプチャを命じる指示か否かを判断する（Ｓ３０２）。ネットワークミドル１１０が画像のキャプチャを命じる指示を受信すると（Ｓ３０２にてＹＥＳ）、キャプチャ部１３２は、カメラ１３０が撮影した映像から画像をキャプチャする。画像がキャプチャされると、ネットワークミドル１１０は、圧縮部１３４が圧縮した画像の情報をサーバ３０に送信する（Ｓ３０４）。画像転送部１３６は、キャプチャ部１３２が生成した画像の情報を送信するように、ネットワークミドル１１０を制御する。取得部１３２は、ＲＴＣ１２０が特定した画像のキャプチャの時刻を表わす時刻情報を生成する。ログ部１２４はログを表わす情報を生成する。ネットワークミドル１１０はログを表わす情報をサーバ３０に送信する。ログ転送部１２６は時刻情報を送信するように、ネットワークミドル１１０を制御する。監視部１４０は取得部１２２が生成した時刻を表わす情報を読出す（Ｓ３０６）。
【００３８】
時刻を表わす情報が読出されると、監視部１４０は自らが読出した情報をスピーカ管理部１４４に出力する。時刻を表わす情報を読出しかつスピーカ管理部１４４に出力することにより、監視部１４０は、ネットワークミドル１１０が指示を受信したことを検出したことになる。スピーカ管理部１４４は、監視部１４０が出力した情報およびスピーカスイッチ１４２の状態に基づいてスピーカ１４６へ音声信号を出力する（Ｓ３０８）。本実施の形態の場合、音声信号が音楽を表わすこととすると、スピーカ１４６は音楽として映像がキャプチャされたという情報を出力することとなる。スピーカ管理部１４４は、スピーカ１４６が音楽を出力するように、スピーカ１４６を制御することとなる。スピーカ１４６に対するこのような制御は、情報を出力することを表わす情報をスピーカスイッチ１４２が受付けた上で、ネットワークミドル１１０が画像のキャプチャを命じる指示を受信し、かつ監視部１４０が検出すると実施される。
【００３９】
音声信号が出力されると、実行部１１６は画像のキャプチャを終了するか否かを判断する（Ｓ３１０）。この場合、画像のキャプチャを終了しないとすると（Ｓ３１０にてＮＯ）、Ｓ３００〜Ｓ３１０の処理が繰返される。
【００４０】
以上のようにして、本実施の形態に係る防犯システムは、画像をキャプチャする際、音声を出力する。音声が出力されるので、ホームセイフティ機器により撮影された者は自らが撮影されたことを知り得る。従来、室内にいて被写体となる者が撮影されることに対してプライバシーを懸念することはなかった。防犯システムが、プライバシーが保護されるとの前提の下で室内などを敢えて撮影させることにより非常時の対処を容易にしていたためである。不正アクセスを実現する技術の向上は、被写体となる者にプライバシーの保護を懸念させ始めている。本実施の形態に係る防犯システムは、画像をキャプチャする際、音声を出力するので、被写体となる者の懸念を解消させる。本実施の形態に係る防犯システムは、画像をキャプチャする際、音声を出力するので、ホームセイフティの安心を確認できる。懸念が解消され、かつ安心が確認されるので、本実施の形態に係る防犯システムは、カメラが映像を撮影できない状態に陥ることを最小限にする。その結果、プライバシーを保護しつつ保証するセキュリティのレベルを向上できるホームセイフティ機器、ホームセイフティプログラム、ホームセイフティプログラムを記録したコンピュータ読取り可能な記録媒体、および防犯システムを提供することができる。
【００４１】
なお、変形例として、Ｓ３０８にて、スピーカ１４６は音楽以外の音として映像がキャプチャされたという情報を出力してもよい。「音楽以外の音」には音声や一定の音階からなる音が含まれる。これにより、音楽が出力される場合と同様に、被写体となる者の懸念を解消させることができる。
【００４２】
また、変形例として、Ｓ３０８にて、スピーカ管理部１４４は、スピーカ１４６に音楽を出力させることに代え、ディスプレイ１６０およびＬＥＤ１６２のいずれかを制御してもよい。ディスプレイ１６０が制御された場合、ディスプレイ１６０は、情報を表示することにより、光を媒体として情報を出力することとなる。ＬＥＤ１６２が制御された場合、ＬＥＤ１６２は、光の点灯により、光を媒体として情報を出力することとなる。これにより、音楽を始めとする音が出力される場合と同様に、被写体となる者の懸念を解消させることができる。
【００４３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００４４】
【図１】本発明の実施の形態に係る防犯システムの概念図である。
【図２】本発明の実施の形態に係るホームセイフティ機器の外観図である。
【図３】本発明の実施の形態に係るホームセイフティ機器の制御ブロック図である。
【図４】本発明の実施の形態に係るホームセイフティ機器を実現するコンピュータハードウェアの制御ブロック図である。
【図５】本発明の実施の形態に係る画像のキャプチャ処理の制御の手順を示すフローチャートである。
【符号の説明】
【００４５】
１０  防犯システム、２０  ホームセイフティ機器、３０  サーバ、４０  携帯電話、１００  焦電センサ、１０２  センサスイッチ、１０４  スイッチ管理部、１０６  センサ管理部、１１０  ネットワークミドル、１１２  通信制御部、１１４  接続部、１１６  実行部、１２０  ＲＴＣ、１２２  取得部、１２４  ログ部、１２６  ログ転送部、１３０  カメラ、１３２  キャプチャ部、１３４  圧縮部、１３６  画像転送部、１４０  監視部、１４２  スピーカスイッチ、１４４  スピーカ管理部、１４６  スピーカ、１６０  ディスプレイ、１６２  ＬＥＤ、２３１  ＣＰＵ、２３２  Ｉ／Ｏ、２３３  ＨＤ装置、２３４  表示部、２３５  ＲＡＭ、２３６  通信部、２３７  ＣＤ−ＲＷドライブ、２３８  操作部、２３９  バス、３００  ＣＤ−ＲＷ。
【図１】
2007115114.tif 000003
【図２】
2007115114.tif 000004
【図３】
2007115114.tif 000005
【図４】
2007115114.tif 000006
【図５】
2007115114.tif 000007